(57)【要約】【課題】本発明は多目的利用が出来るゴルフ練習具に関するものである。【解決手段】基台に支柱を挿入して、幕を支柱のフックに掛け袋を幕の任意の位置に取りつけて、その袋を目標にしてショットの正確さを求めることを特徴としたゴルフ練習具。【選択図】図１０
2008272406.tif 000002
【特許請求の範囲】
【請求項１】
基台に支柱を挿入して、幕を支柱のフックに掛け袋を幕の任意の位置に取りつけて、その袋を目標にしてショットの正確さを求めることを特徴としたゴルフ練習具。
【請求項２】
帯体付ゴルフボールや帯体付ピンポン球をショットして、幕に固着することを特徴とした請求項１のゴルフ練習具
【発明の詳細な説明】
【技術分野】
【０００１】本発明は多目的利用が出来るゴルフ練習具に関するものである。
【背景技術】
【０００２】  従来、家庭用ゴルフ練習具は室内、室内兼用が難しく、場所に合わせて大きさを変えることが出来ないものであった。
また、固定した的に向かってショットするだけで、変化に富んだ練習が出来ず、他の遊具としても利用しにくいものであった。【０００３】
【特許文献】特許文献１特許公開２００７−０４４４８３  特許文献２特許公開２００６−１１０１３７  特許文献３実用新案公開平０６−０７５５４８  特許文献４実用新案公開平０５−０６２２８４  特許文献５登録実用新案第３１２８２８７号  特許文献６登録実用新案第３０６４２９６号  特許文献７登録実用新案第３０２９８１５号  特許文献８登録実用新案第３００６２６５号
【発明の開示】
【発明が解決しようとする課題】
【０００４】そのために、次のような問題点があった。
特許文献１
室内、室外の兼用が難しい。他の遊具として利用しにくい。
特許文献２
他の遊具として利用しにくい。場所に合わせて大きさを変えることが難しい。
特許文献３
他の遊具として利用しにくい。
特許文献４
室内、室外の兼用が難しい。他の遊具として利用しにくい。
特許文献５
室内、室外の兼用が難しい。他の遊具として利用しにくい。場所に合わせて大きさを変えることが難しい。
特許文献６
他の遊具として利用しにくい。
特許文献７
室内、室外の併用が難しい。場所に合わせて大きさを変えることが難しい。
特許文献８
場所に合わせて大きさを変えることが難しい。
本発明は以上の問題点を解決しょうとするものである。
【課題を解決するための手段】
【０００５】  基台に支柱を挿入して、幕を支柱のフックに掛け袋を幕の任意の位置に取りつけて、その袋を目標にしてショットの正確さを求めることを特徴としたゴルフ練習具。
また、帯体付ゴルフボールや帯体付ピンポン球をショットして、幕に固着することを特徴としたゴルフ練習具である。
【発明の効果】
【０００６】  その結果、本発明は次のような効果を生じる。
（イ）室内、室外兼用が出来る。
（ロ）場所に合わせて高さや幅など大きさを変えることが出来る。
（ハ）帯体付ゴルフボールや帯体付ピンポン球が幕に固着したり、袋に入ることでショットの弾道を確認でき、スイングの改善に役立つ。
（ニ）使用しない時は、野球のバックネット、バドミントンのネット、物干し台などに利用できる。
【発明を実施するための最良の形態】
【０００７】  以下、本発明の実施の形態を説明する。
（イ）通常、道路工事などで使用されている工事中の表示を示す円錐状の基台（１）に支柱（２）を挿入する。
（ロ）支柱（２）の上部にゴルフボールの通り抜けを防ぐために、幕などを２枚掛けることが出来る二つのフック（４）（５）を設けた小支柱（３）を挿入する。
この小支柱（３）は、支柱（２）の側部に設けられた調整ネジ（６）によって、小支柱（３）を高くしたり、低くすることが出来る。
このような構成からなるものが一対となっている。
（ハ）小支柱（３）のフック（４）（５）を介して、ポール（７）を他方の小支柱（３）のフック（４）（５）に架けることが出来る。
（ニ）本発明は上記の構成からなるもの以外として、片面が起毛性を有する長方形状の幕（８）を設け、幕（８）の上部を折り返して空洞部（９）を設ける。
（ホ）面テープを帯体（１０）にしてゴルフボール、ピンポン球にたすき掛状に装着し、帯体付ゴルフボール（１１）と帯体付ピンポン球（１２）を設ける。
（ヘ）さらに、一方が開口し他方を塞いだ長方形状の袋（１４）を設ける。
本発明は以上の構成からなるゴルフ練習具である。
次に本発明の使用方法について説明する。
一対の基台（１）を室内又は室外に設置して、支柱（２）と小支柱（３）を基台（１）に挿入する。
室内の場合は、小支柱（３）を低くして調整ネジ（６）で高さを保ち、幕（８）の上部に設けた空洞部（９）にポール（７）を通してフック（４）（５）に架け、袋（１４）を幕（８）に装着する。この場合、幕（８）が起毛性を有しているので、袋（１４）の裏に面テープをつければ、容易に装着できる。
そして、帯対（１０）を装着した帯体付ゴルフボール（１１）と帯体付ピンポン球（１２）を幕（８）の前方に置いて幕（８）に向かってショットする。
その時、袋（１４）の位置を変えることで、目標が変わりショット技術の向上を図ることが出来る。
ナイスショットの時は幕（８）につけた袋（１４）にストレートに入るのでショットの正確さが確認できる。ショットがぶれた時は幕（８）に帯体付ゴルフボール（１１）や帯体付ピンポン球（１２）が固着する。
また、帯体付ピンポン球（１２）が幕（８）に固着するのを利用して、フルスイングの練習が出来る。
以上、本発明は帯体付ゴルフボール（１１）や帯体付ピンポン球（１２）を例にして、使用状況を説明してきたが、帯体（１０）を着装しないゴルフボール（１３）で練習出来ることは当然である。
その場合、ナイスショットの時はゴルフボール（１３）は袋（１４）に入り、ミスショットの時はゴルフボールは落下する。
なお、本発明の基台（１）について、図１１に示すように、支柱（２）が安定するように、案内管（１５）を下方に向けて設けることによって支柱（２）を挿入しやすく、風が吹いても支柱の揺れが少なく支柱全体の安定性がより確保される。
【他の産業分野の利用】
【０００８】  （イ）ゴルフ練習具として使用しない場合、ポール（７）を利用して物干し台として利用出来る。
（ロ）幕（８）に袋（１４）を装着することによって、ボールを投げ入れる遊具として利用出来る。
（ハ）幕をネットに代えれば、野球のバックネット、バドミントンのネットとして利用出来る。
【図面の簡単な説明】
【０００９】
【図１】本発明の基台の説明図
【図２】本発明の使用過程の一部を示す説明図
【図３】本発明の装着説明図
【図４】本発明の小支柱を伸ばした状態の説明図
【図５】本発明のポールを装着した説明図
【図６】本発明の幕の説明図
【図７】本発明の幕をポールから吊り下げた全体説明図
【図８】本発明の帯体・帯体付ゴルフボール・帯体付ピンポン球・ゴルフボールの説明図
【図９】本発明の袋の説明図
【図１０】本発明の使用状態を示す説明図
【図１１】本発明の基台の他の実施例図
【符号の説明】
【００１０】  １    基台
２    支柱
３    小支柱
４    フック
５    フック
６    調整ネジ
７    ポール
８    幕
９    空洞部
１０  帯体
１１  帯体付ゴルフボール
１２  帯体付ピンポン球
１３  ゴルフボール
１４  袋
１５  案内管
【図１】
2008272406.tif 000003
【図２】
2008272406.tif 000004
【図３】
2008272406.tif 000005
【図４】
2008272406.tif 000006
【図５】
2008272406.tif 000007
【図６】
2008272406.tif 000008
【図７】
2008272406.tif 000009
【図８】
2008272406.tif 000010
【図９】
2008272406.tif 000011
【図１０】
2008272406.tif 000012
【図１１】
2008272406.tif 000013